(57)【要約】【課題】通信帯域を増やすことなく、同じデータ形式で追加データをフレームデータと一緒に送信することができるようにする。【解決手段】追加データを含むパディングデータＡが付加されたフレームデータに対する誤り訂正符号化処理を実施して、パディングデータＡ付きのフレームデータの誤り訂正符号を生成し、その誤り訂正符号を上記フレームデータに付加する誤り訂正符号化部１２と、誤り訂正符号化部１２により誤り訂正符号が付加されたフレームデータからパディングデータＡを削除するパディング削除部１３とを設け、パディング削除部１３によりパディングデータＡが削除されたフレームデータを送信する。【選択図】図１
2009212686.tif 000002
【特許請求の範囲】
【請求項１】
送信対象のフレームデータに対して追加の送信データを含むパディングデータを付加するパディング多重手段と、上記パディング多重手段によりパディングデータが付加されたフレームデータに対する誤り訂正符号化処理を実施して、上記パディングデータ付きのフレームデータの誤り訂正符号を生成し、上記誤り訂正符号を上記フレームデータに付加する誤り訂正符号化手段と、上記誤り訂正符号化手段により誤り訂正符号が付加されたフレームデータから上記パディングデータを削除するパディング削除手段と、上記パディング削除手段によりパディングデータが削除されたフレームデータを送信するデータ送信手段とを備えたデータ送信装置。
【請求項２】
データ送信装置から送信された誤り訂正符号付きのフレームデータを受信するデータ受信手段と、上記データ受信手段により受信されたフレームデータに対してパディングデータを付加するパディング付加手段と、上記誤り訂正符号を用いて、上記パディング付加手段によりパディングデータが付加されたフレームデータに対する誤り訂正復号処理を実施して、追加の送信データを含むパディングデータが付加されているフレームデータである誤り訂正復号後データを生成する誤り訂正復号手段と、上記誤り訂正復号手段により生成された誤り訂正復号後データからフレームデータと追加の送信データを抽出するデータ抽出手段とを備えたデータ受信装置。
【請求項３】
送信対象のフレームデータに対して追加の送信データを含むパディングデータを付加するパディング多重手段、上記パディング多重手段によりパディングデータが付加されたフレームデータに対する誤り訂正符号化処理を実施して、上記パディングデータ付きのフレームデータの誤り訂正符号を生成し、上記誤り訂正符号を上記フレームデータに付加する誤り訂正符号化手段、上記誤り訂正符号化手段により誤り訂正符号が付加されたフレームデータから上記パディングデータを削除するパディング削除手段、及び上記パディング削除手段によりパディングデータが削除されたフレームデータを送信するデータ送信手段を有するデータ送信装置と、上記データ送信装置から送信された誤り訂正符号付きのフレームデータを受信するデータ受信手段、上記データ受信手段により受信されたフレームデータに対してパディングデータを付加するパディング付加手段、上記誤り訂正符号を用いて、上記パディング付加手段によりパディングデータが付加されたフレームデータに対する誤り訂正復号処理を実施して、追加の送信データを含むパディングデータが付加されているフレームデータである誤り訂正復号後データを生成する誤り訂正復号手段、及び上記誤り訂正復号手段により生成された誤り訂正復号後データからフレームデータと追加の送信データを抽出するデータ抽出手段を有するデータ受信装置とを備えたデータ通信システム。
【発明の詳細な説明】
【技術分野】
【０００１】
この発明は、誤り訂正符号付きのフレームデータを送信するデータ送信装置と、データ送信装置から送信された誤り訂正符号付きのフレームデータを受信して、そのフレームデータの誤りを訂正するデータ受信装置と、そのデータ送信装置とデータ受信装置からなるデータ通信システムとに関するものである。
【背景技術】
【０００２】
近年では、イーサネット（登録商標）を用いる光アクセスネットワークの規格標準化が進んでいる。
その規格標準化の一つであるＩＥＥＥ８０２．３ａｈでは、伝送路の信頼性を高める技術として、誤り訂正符号（ＦＥＣ：Ｆｏｒｗａｒｄ  Ｅｒｒｏｒ  Ｃｏｒｒｅｃｔｉｏｎ）を付加する方式が規定されている。
【０００３】
誤り訂正符号を用いる従来のデータ通信システムでは、次のようにして、データを送受信している（例えば、特許文献１を参照）。
まず、データ通信システムのデータ送信装置は、下記に示すように、送信対象のフレームデータに対して、パディングデータを付加する。
パディングデータ＋フレームデータ                            （１）
一般的に、誤り訂正符号化処理は一定長のデータ（例えば、２３９バイトのデータ）を取り扱うので、例えば、フレームデータのデータ長が２３０バイトであれば、９バイトのパディングデータ（例えば、値が“０”のデータ）を付加する。
【０００４】
次に、データ送信装置は、（１）のパディングデータ付きフレームデータに対する誤り訂正符号化処理を実施して、そのフレームデータの誤り訂正符号を生成し、下記に示すように、その誤り訂正符号を上記フレームデータに付加する。
パディングデータ＋フレームデータ＋誤り訂正符号              （２）
次に、データ送信装置は、下記に示すように、（２）の誤り訂正符号付きフレームデータからパディングデータを削除して、そのフレームデータを送信する。
フレームデータ＋誤り訂正符号                                （３）
【０００５】
データ通信システムのデータ受信装置は、データ送信装置から送信された（３）の誤り訂正符号付きフレームデータを受信する。
データ受信装置は、（３）の誤り訂正符号付きフレームデータを受信すると、下記に示すように、そのフレームデータに対してパディングデータ（例えば、値が“０”のデータ）を付加することにより、誤り訂正復号処理が取り扱えるデータ長にする。
パディングデータ＋フレームデータ＋誤り訂正符号              （４）
【０００６】
次に、データ受信装置は、（４）のパディングデータ付きフレームデータに付加されている誤り訂正符号を用いて、（４）のパディングデータ付きフレームデータに対する誤り訂正復号処理を実施して、そのフレームデータの誤りを訂正する。
パディングデータ＋フレームデータ                            （５）
最後に、データ受信装置は、誤り訂正復号後データである（５）のパディングデータ付きフレームデータからフレームデータを抽出する。
【０００７】
【特許文献１】特表２００５−５２４２８１号公報（段落番号［０００４］）
【発明の開示】
【発明が解決しようとする課題】
【０００８】
従来のデータ通信システムは以上のように構成されているので、伝送路でフレームデータに誤りが発生しても、受信側でフレームデータの誤りを訂正することができる。しかし、送信対象のフレームデータの他に、追加データ（フレームデータと異なる別個の送信データ）を一緒に送信しようとする場合、通信帯域を増やして、当該追加データをフレームデータに付加する必要がある。そのため、通信帯域を増やすことができない通信環境下では、追加データをフレームデータと一緒に送信することができないなどの課題があった。
【０００９】
なお、通信帯域を増やすことなく、追加データをフレームデータと一緒に送信することができるようにするために、誤り訂正符号の一部を削除して、その追加データをパディングデータに含めるようにしているデータ通信システムが開発されている（例えば、特開平６−３１４４７４号公報を参照）。
しかし、このデータ通信システムでは、追加データがパディングデータに含まれている場合と、追加データがパディングデータに含まれていない場合とで、誤り訂正符号のビット数が異なるため、事前に、追加データの有無を受信側に通知する必要があり、通信量が増加することになる。
また、追加データがパディングデータに含まれている場合と、追加データがパディングデータに含まれていない場合とでデータ形式が異なるため、追加データを受信する機能を搭載していない端末では、正しくデータを受信することができない。
【００１０】
この発明は上記のような課題を解決するためになされたもので、通信帯域を増やすことなく、同じデータ形式で追加データをフレームデータと一緒に送信することができるデータ送信装置及びデータ通信システムを得ることを目的とする。
また、この発明は、フレームデータと追加データを復元することができるデータ受信装置を得ることを目的とする。
【課題を解決するための手段】
【００１１】
この発明に係るデータ通信システムは、データ送信装置が、追加の送信データを含むパディングデータが付加されたフレームデータに対する誤り訂正符号化処理を実施して、そのパディングデータ付きのフレームデータの誤り訂正符号を生成し、その誤り訂正符号をフレームデータに付加するとともに、そのフレームデータからパディングデータを削除して、そのフレームデータを送信するようにし、データ受信装置が、データ送信装置から送信された誤り訂正符号付きのフレームデータに対してパディングデータを付加し、その誤り訂正符号を用いて、そのフレームデータに対する誤り訂正復号処理を実施して、追加の送信データを含むパディングデータが付加されているフレームデータである誤り訂正復号後データを生成し、その誤り訂正復号後データからフレームデータと追加の送信データを抽出するようにしたものである。
【発明の効果】
【００１２】
この発明によれば、データ送信装置が、追加の送信データを含むパディングデータが付加されたフレームデータに対する誤り訂正符号化処理を実施して、そのパディングデータ付きのフレームデータの誤り訂正符号を生成し、その誤り訂正符号をフレームデータに付加するとともに、そのフレームデータからパディングデータを削除して、そのフレームデータを送信するようにし、データ受信装置が、データ送信装置から送信された誤り訂正符号付きのフレームデータに対してパディングデータを付加し、その誤り訂正符号を用いて、そのフレームデータに対する誤り訂正復号処理を実施して、追加の送信データを含むパディングデータが付加されているフレームデータである誤り訂正復号後データを生成し、その誤り訂正復号後データからフレームデータと追加の送信データを抽出するように構成したので、通信帯域を増やすことなく、同じデータ形式で追加データをフレームデータと一緒に送信することができる効果がある。
【発明を実施するための最良の形態】
【００１３】
実施の形態１．
図１はこの発明の実施の形態１によるデータ通信システムを示す構成図であり、図において、データ送信装置１はフレームデータに対する誤り訂正符号化処理を実施して、そのフレームデータの誤り訂正符号を生成し、その誤り訂正符号付きのフレームデータを伝送路２に送信する。
データ受信装置３はデータ送信装置１から送信された誤り訂正符号付きのフレームデータを伝送路２から受信すると、その誤り訂正符号を用いて、そのフレームデータの誤りを訂正する。
【００１４】
図２はこの発明の実施の形態１によるデータ送信装置１を示す構成図であり、図において、パディング多重部１１は送信対象のフレームデータに対して追加の送信データ（以下、「追加データ」という）を含むパディングデータＡ（例えば、追加データを除く部分の値が“０”のデータ）を付加する処理を実施する。なお、パディング多重部１１はパディング多重手段を構成している。
誤り訂正符号化部１２はパディング多重部１１によりパディングデータＡが付加されたフレームデータに対する誤り訂正符号化処理を実施して、パディングデータＡ付きのフレームデータの誤り訂正符号を生成し、その誤り訂正符号を上記フレームデータに付加する処理を実施する。なお、誤り訂正符号化部１２は誤り訂正符号化手段を構成している。
【００１５】
パディング削除部１３は誤り訂正符号化部１２により誤り訂正符号が付加されたフレームデータからパディングデータＡを削除する処理を実施する。なお、パディング削除部１３はパディング削除手段を構成している。
信号変換部１４はパディング削除部１３によりパディングデータが削除されたフレームデータを例えば電気信号や光信号などの物理的信号に変換し、その物理的信号を伝送路２に送信する処理を実施する。なお、信号変換部１４はデータ送信手段を構成している。
【００１６】
図３はこの発明の実施の形態１によるデータ受信装置３を示す構成図であり、図において、信号逆変換部２１はデータ送信装置１から送信された物理的信号を伝送路２から受信し、その物理的信号を誤り訂正符号付きのフレームデータに逆変換する処理を実施する。
なお、信号逆変換部２１はデータ受信手段を構成している。
パディング付加部２２は信号逆変換部２１から出力された誤り訂正符号付きのフレームデータに対してパディングデータＢ（例えば、値が“０”のデータ）を付加する処理を実施する。なお、パディング付加部２２はパディング付加手段を構成している。
【００１７】
誤り訂正復号部２３は誤り訂正符号を用いて、パディング付加部２２によりパディングデータＢが付加されたフレームデータに対する誤り訂正復号処理を実施して、追加データを含むパディングデータＡが付加されているフレームデータである誤り訂正復号後データを生成する処理を実施する。なお、誤り訂正復号部２３は誤り訂正復号手段を構成している。
パディング分離部２４は誤り訂正復号部２３により生成された誤り訂正復号後データからフレームデータと追加データを抽出する処理を実施する。なお、パディング分離部２４はデータ抽出手段を構成している。
図４はこの発明の実施の形態１によるデータ通信システムの処理内容を示す説明図である。
【００１８】
次に動作について説明する。
データ送信装置１は、フレームデータに対する誤り訂正符号化処理を実施して、そのフレームデータの誤り訂正符号を生成し、その誤り訂正符号付きのフレームデータを伝送路２に送信する。
以下、データ送信装置１の処理内容を具体的に説明する。
【００１９】
まず、パディング多重部１１は、送信対象のフレームデータの他に、追加データ（フレームデータと異なる別個の送信データ）を受けると（図４（ａ）を参照）、図４（ｂ）に示すように、パディングデータＡ（例えば、値が“０”のデータ）の一部を追加データに置換することにより、その追加データをパディングデータＡに含め、その追加データを含むパディングデータＡをフレームデータに付加する。
パディングデータＡ＋フレームデータ                          （１１）
一般的に、誤り訂正符号化処理は一定長のデータ（例えば、２３９バイトのデータ）を取り扱うので、例えば、フレームデータのデータ長が２３０バイトであれば、９バイトのパディングデータＡを付加する。
【００２０】
誤り訂正符号化部１２は、パディング多重部１１がパディングデータＡをフレームデータに付加すると、パディングデータＡ付きのフレームデータに対する誤り訂正符号化処理を実施して、そのフレームデータの誤り訂正符号を生成する。
そして、誤り訂正符号化部１２は、図４（ｃ）に示すように、その誤り訂正符号をパディングデータＡ付きのフレームデータに付加する。
パディングデータＡ＋フレームデータ＋誤り訂正符号            （１２）
【００２１】
パディング削除部１３は、誤り訂正符号化部１２が誤り訂正符号をフレームデータに付加すると、図４（ｄ）に示すように、そのフレームデータからパディングデータＡを削除する。
フレームデータ＋誤り訂正符号                                （１３）
信号変換部１４は、パディング削除部１３がフレームデータからパディングデータＡを削除すると、パディングデータ削除後のフレームデータを例えば電気信号や光信号などの物理的信号に変換し、その物理的信号を伝送路２に送信する。
【００２２】
データ受信装置３は、データ送信装置１から送信された物理的信号を受信すると、その物理的信号を誤り訂正符号付きのフレームデータに逆変換し、その誤り訂正符号を用いて、そのフレームデータの誤りを訂正する。
以下、データ受信装置３の処理内容を具体的に説明する。
【００２３】
信号逆変換部２１は、データ送信装置１から送信された物理的信号を伝送路２から受信する。
信号逆変換部２１は、物理的信号を受信すると、図４（ｅ）に示すように、その物理的信号を誤り訂正符号付きのフレームデータに逆変換する。
フレームデータ＋誤り訂正符号                                （１４）
【００２４】
パディング付加部２２は、信号逆変換部２１から誤り訂正符号付きのフレームデータを受けると、図４（ｆ）に示すように、その誤り訂正符号付きのフレームデータに対してパディングデータＢ（例えば、値が“０”のデータ）を付加することにより、誤り訂正復号処理が取り扱えるデータ長にする。
パディングデータＢ＋フレームデータ＋誤り訂正符号            （１５）
【００２５】
誤り訂正復号部２３は、（１５）のパディングデータＢ付きフレームデータに付加されている誤り訂正符号を用いて、（１５）のパディングデータＢ付きフレームデータに対する誤り訂正復号処理を実施して、そのフレームデータの誤りを訂正する。即ち、図４（ｇ）に示すように、追加データを含むパディングデータＡが付加されているフレームデータである誤り訂正復号後データを生成する。
誤り訂正復号後データ
＝パディングデータＡ＋フレームデータ                        （１６）
【００２６】
データ送信装置１の誤り訂正符号化部１２では、パディングデータＡ付きのフレームデータに対する誤り訂正符号化処理を実施して、そのフレームデータの誤り訂正符号を生成するようにしているので、誤り訂正復号部２３が、その誤り訂正符号を用いて、フレームデータに対する誤り訂正復号処理を実施すれば、パディングデータＡ付きのフレームデータを生成することができる。
【００２７】
パディング分離部２４は、誤り訂正復号部２３が（１６）の誤り訂正復号後データを生成すると、図４（ｈ）に示すように、その誤り訂正復号後データからフレームデータと追加データを抽出する。
【００２８】
以上で明らかなように、この実施の形態１によれば、送信対象のフレームデータに対して追加データを含むパディングデータＡを付加するパディング多重部１１と、パディング多重部１１によりパディングデータＡが付加されたフレームデータに対する誤り訂正符号化処理を実施して、パディングデータＡ付きのフレームデータの誤り訂正符号を生成し、その誤り訂正符号を上記フレームデータに付加する誤り訂正符号化部１２と、誤り訂正符号化部１２により誤り訂正符号が付加されたフレームデータからパディングデータＡを削除するパディング削除部１３とを設け、パディング削除部１３によりパディングデータＡが削除されたフレームデータを送信するように構成したので、通信帯域を増やすことなく、同じデータ形式で追加データをフレームデータと一緒に送信することができる効果を奏する。
【００２９】
また、この実施の形態１によれば、データ送信装置１から送信された誤り訂正符号付きのフレームデータに対してパディングデータＢを付加するパディング付加部２２と、その誤り訂正符号を用いて、パディング付加部２２によりパディングデータＢが付加されたフレームデータに対する誤り訂正復号処理を実施して、追加データを含むパディングデータＡが付加されているフレームデータである誤り訂正復号後データを生成する誤り訂正復号部２３とを設け、誤り訂正復号部２３により生成された誤り訂正復号後データからフレームデータと追加データを抽出するように構成したので、フレームデータと追加データを復元することができる効果を奏する。
【００３０】
なお、この実施の形態１では、フレームデータと異なる別個の送信データを追加データとしてパディングデータＡに含めるものについて示したが、フレームデータの一部を追加データとしてパディングデータＡに含めるようにしてもよい。
【図面の簡単な説明】
【００３１】
【図１】この発明の実施の形態１によるデータ通信システムを示す構成図である。
【図２】この発明の実施の形態１によるデータ送信装置を示す構成図である。
【図３】この発明の実施の形態１によるデータ受信装置を示す構成図である。
【図４】この発明の実施の形態１によるデータ通信システムの処理内容を示す説明図である。
【符号の説明】
【００３２】
１  データ送信装置、２  伝送路、３  データ受信装置、１１  パディング多重部（パディング多重手段）、１２  誤り訂正符号化部（誤り訂正符号化手段）、１３  パディング削除部（パディング削除手段）、１４  信号変換部（データ送信手段）、２１  信号逆変換部（データ受信手段）、２２  パディング付加部（パディング付加手段）、２３  誤り訂正復号部（誤り訂正復号手段）、２４  パディング分離部（データ抽出手段）。
【図１】
2009212686.tif 000003
【図２】
2009212686.tif 000004
【図３】
2009212686.tif 000005
【図４】
2009212686.tif 000006